(57)【要約】【課題】表示電極の構造を改善して開口率及び透過率の画期的な向上が可能な，新規かつ改良されたプラズマディスプレイパネルを提供する。【解決手段】本発明のＰＤＰは放電セル構造を改善したものであって，互いに対向する前面基板と背面基板，上記前面基板と背面基板との間に位置して複数の放電セルを区画する隔壁と，上記放電セルを囲む形状をなし，上記隔壁に順次に埋設されて第１方向に長く伸びる第１電極と第２電極，上記第１方向と交差する第２方向に各放電セルに対応して形成されるアドレス電極と，上記放電セル内に形成されて上記放電セルを赤色，緑色，青色及び白色の放電セルに区分する蛍光体層とを含む。【選択図】図２
2006228702.tif 000002
【特許請求の範囲】
【請求項１】
互いに対向する前面基板及び背面基板と；
前記前面基板と前記背面基板との間に位置して複数の放電セルを区画する隔壁と；
前記放電セルを囲む形状をなし，前記隔壁に順次に埋設され第１方向に伸びる第１電極及び第２電極と；
前記第１方向と交差する第２方向に各放電セルに対応して形成されるアドレス電極と；
前記放電セル内に形成され，前記放電セルを赤色，緑色，青色及び白色の放電セルに区分する蛍光体層と；
を含むことを特徴とする，プラズマディスプレイパネル。
【請求項２】
前記赤色，緑色，青色及び白色の放電セルが２×２行列形態に配置されて一つの画素を定義すること；
を特徴とする，請求項１に記載のプラズマディスプレイパネル。
【請求項３】
前記隔壁は誘電体で形成されること；
を特徴とする，請求項１または２に記載のプラズマディスプレイパネル。
【請求項４】
前記放電セルは点対称をなすこと；
を特徴とする，請求項１〜３のいずれかに記載のプラズマディスプレイパネル。
【請求項５】
前記隔壁は前記放電セルを円形に区画すること；
を特徴とする，請求項１〜４のいずれかに記載のプラズマディスプレイパネル。
【請求項６】
前記前面基板から前記背面基板に第１電極と第２電極が順次に位置し，
第２電極は前記アドレス電極と電子的に作用して点灯される放電セルを選択すること；
を特徴とする，請求項１〜５のいずれかに記載のプラズマディスプレイパネル。
【請求項７】
前記隔壁は，
前記前面基板に位置する第１隔壁と；
前記背面基板に位置する第２隔壁と；
を含むことを特徴とする，請求項１〜６のいずれかに記載のプラズマディスプレイパネル。
【請求項８】
前記第１電極及び前記第２電極が前記第１隔壁に埋設されること；
を特徴とする，請求項１〜７のいずれかに記載のプラズマディスプレイパネル。
【請求項９】
前記蛍光体層は前記第２隔壁で形成されること；
を特徴とする，請求項１〜８のいずれかに記載のプラズマディスプレイパネル。
【請求項１０】
前記隔壁は，
前記第２方向に形成される縦隔壁と，前記第２方向と交差する第１方向に形成される横隔壁を含み；
前記第１電極及び前記第２電極は，
一対の前記横隔壁に埋設され，前記第１方向に形成されるライン電極と；
前記縦隔壁に埋設され，前記ライン電極を連結する連結電極と；
を含むことを特徴とする，請求項１〜９のいずれかに記載のプラズマディスプレイパネル。
【請求項１１】
前記アドレス電極が前記隔壁に埋設されること；
を特徴とする，請求項１〜１０のいずれかに記載のプラズマディスプレイパネル。
【請求項１２】
前記第２電極は前記アドレス電極と作用して点灯する放電セルを選択し；
前記アドレス電極は前記第２電極に隣接して位置すること；
を特徴とする，請求項１〜１１のいずれかに記載のプラズマディスプレイパネル。
【請求項１３】
互いに対向する前面基板と前記背面基板と；
前記前面基板と前記背面基板との間に位置して複数の放電セルを区画する隔壁と；
前記放電セルを囲む形状をなしながら前記隔壁に順次に埋設され，第１方向及びこれと交差する第２方向に各々伸びる第１電極及び第２電極と；
前記放電セル内に形成され，前記放電セルを赤色，緑色，青色及び白色の放電セルに区分する蛍光体層とを含むこと；
を特徴とする，プラズマディスプレイパネル。
【請求項１４】
赤色，緑色，青色及び白色の前記放電セルは２×２行列形態に配置されて一つの画素を定義すること；
を特徴とする，請求項１３に記載のプラズマディスプレイパネル。
【請求項１５】
前記隔壁は誘電体で形成されること；
を特徴とする，請求項１３または１４に記載のプラズマディスプレイパネル。
【請求項１６】
前記放電セルが点対称をなすこと；
を特徴とする，請求項１３〜１５のいずれかに記載のプラズマディスプレイパネル。
【請求項１７】
前記隔壁は前記放電セルを円形に区画すること；
を特徴とする，請求項１３〜１６のいずれかに記載のプラズマディスプレイパネル。
【請求項１８】
前記隔壁が，
前記前面基板に位置する第１隔壁と，前記背面基板に位置する第２隔壁を含むこと；
を特徴とする，請求項１３〜１７のいずれかに記載のプラズマディスプレイパネル。
【請求項１９】
前記第１電極と第２電極が前記第１隔壁に埋設されること；
を特徴とする，請求項１３〜１８のいずれかに記載のプラズマディスプレイパネル。
【請求項２０】
前記蛍光体層は前記第２隔壁で形成されること；
を特徴とする，請求項１３〜１９のいずれかに記載のプラズマディスプレイパネル。
【請求項２１】
前記隔壁は，
前記第２方向に形成される縦隔壁と，前記第２方向と交差する第１方向に形成される横隔壁と；
を含み前記第１電極は，
一対の前記横隔壁に埋設され，前記第１方向に形成される第１ライン電極と；
前記縦隔壁に埋設され，前記ライン電極を連結する第１連結電極と；
を含み前記第２電極は，
一対の前記縦隔壁に埋設され，前記第２方向に形成される第２ライン電極と；
前記横隔壁に埋設され，前記ライン電極を連結する第２連結電極と；
を含むことを特徴とする，請求項１３〜２０のいずれかに記載のプラズマディスプレイパネル。
【発明の詳細な説明】
【技術分野】
【０００１】
本発明は，プラズマディスプレイパネルに係り，特に表示電極の構造を改善したプラズマディスプレイパネルに関する。
【背景技術】
【０００２】
最近，平板ディスプレイ装置としてプラズマディスプレイパネル（以下，ＰＤＰ：Ｐｌａｓｍａ  Ｄｉｓｐｌａｙ  Ｐａｎｅｌ）を採用した装置は大画面を有しながら，高画質，超薄型，軽量化及び広視野角などの優れた特性を持っており，他の平板ディスプレイに比べて製造方法が簡単で，大型化が容易であるために次世代大型平板ディスプレイとして脚光を浴びている。上記ＰＤＰは印加される放電電圧によって直流（ＤＣ）型，交流（ＡＣ）型及び混合型（ＨｙＢｒｉｄ）に分類され，放電構造によって対向放電型及び面放電型に分類される。
【０００３】
直流型ＰＤＰは全ての電極が放電空間に露出される構造であって，対応する電極の間に電荷の移動が直接的に行われる。交流型ＰＤＰは少なくとも一つの電極が誘電体で塗布され，対応する電極の間に直接的な電荷の移動が行われない代わりに，壁電荷を利用して放電が行われる。
【０００４】
直流型ＰＤＰでは対応する電極の間に電荷の移動が直接的に行われるので，電極の損傷が激しくなる問題点があるため，最近は交流型，特に３電極面放電型構造を有する交流型ＰＤＰが一般に採用されている。
【０００５】
上記交流型３電極面放電型ＰＤＰを図１に示すように，前面基板２００と背面基板３００を含む。背面基板３００上には点灯する放電セルを選択するアドレス電極３３０と，このアドレス電極を埋設する背面誘電体層３５０と，放電セルを区画する隔壁３９０と，上記隔壁の壁面とその底面に塗布される蛍光体層３７０が形成される。上記背面基板と対向する前面基板２００上には，選択された放電セルを維持放電する電極２２０，２３０と，上記電極２２０，２３０を埋設する前面誘電体層２５０及び保護膜２９０が備えられる。
【０００６】
しかし，従来のＰＤＰでは，放電セルの上面に一対の電極２２０，２３０が備えられる。この時，上記電極は放電セルから出る光を遮らないように透明な電極を使用するが，上記透明電極は抵抗が高くて放電電圧を高める短所がある。
【０００７】
上記の結果，上記透明電極の抵抗を下げるために不透明な金属の電極を使用するが，上記金属電極は光が透過できないため放電セルの開口率を落とす問題がある。さらに，上記のように形成される電極は各々誘電体層と保護膜で覆われて保護されるが，上記要素によって放電セルから出る光の透過率が顕著に落ちる問題がある。
【０００８】
また，従来の面放電ＰＤＰでは放電を引き起こす電極が放電空間の上面，つまり，光が通過する前面基板２００の内側面に形成される。これによって放電が前面基板の内側面で発生して拡散するので，発光効率が低くなるという本質的な問題点を持っている。
【０００９】
さらに，従来の面放電ＰＤＰでは，長時間使用する場合に電界によって放電ガスの荷電粒子が蛍光体層にイオンスパッタリングを起こして永久残像を招く問題がある。
【発明の開示】
【発明が解決しようとする課題】
【００１０】
そこで，本発明は，上記問題に鑑みてなされたものであり，本発明の目的とするところは，表示電極の構造を改善して開口率及び透過率の画期的な向上が可能な，新規かつ改良されたプラズマディスプレイパネルを提供することにある。
【課題を解決するための手段】
【００１１】
上記課題を解決するために，本発明のある観点によれば，互いに対向する前面基板と背面基板，上記前面基板と背面基板との間に位置して複数の放電セルを区画する隔壁と，上記放電セルを囲む形状をなし，上記隔壁に順次に埋設されて第１方向に長く伸びる第１電極と第２電極，上記第１方向と交差する第２方向に各放電セルに対応して形成されるアドレス電極と，上記放電セル内に形成され，上記放電セルを赤色，緑色，青色及び白色の放電セルに区分する蛍光体層とを含むプラズマディスプレイが提供される。
【００１２】
この時，赤色，緑色，青色及び白色の上記放電セルが２×２行列形態に配置されて一つの画素を定義することができる。そして，上記隔壁は誘電体で形成されることが好ましい。
【００１３】
また，上記放電セルは点対称をなし，好ましくは円形をなす。そして，本発明は上記前面基板から上記背面基板に第１電極及び第２電極が順次に位置し，第２電極は上記アドレス電極と作用して点灯される放電セルを選択する。
【００１４】
また，上記隔壁は，上記前面基板に位置する第１隔壁と，上記背面基板に位置する第２隔壁を含むことができ，上記第１電極と第２電極が上記第１隔壁に埋設され，上記蛍光体層は上記第２隔壁で形成することができる。
【００１５】
そして，上記隔壁は，上記第２方向に形成される縦隔壁と，上記第２方向と交差する第１方向に形成される横隔壁を含み，上記第１電極と第２電極は，一対の上記横隔壁に埋設され，上記第１方向に長く形成されるライン電極と，上記縦隔壁に埋設され，上記ライン電極を連結する連結電極を含むことができる。
【００１６】
また，上記アドレス電極は上記隔壁に埋設されて形成することができ，この場合に上記第２電極は上記アドレス電極と作用して点灯させる放電セルを選択し，上記アドレス電極は上記第２電極に隣接して位置することができる。
【００１７】
本発明の第２実施形態で提供するプラズマディスプレイパネルは，互いに対向する前面基板と背面基板，上記前面基板と背面基板との間に位置して複数の放電セルを区画する隔壁と，上記放電セルを囲む形状をなしながら上記隔壁に順次に埋設され，第１方向と，これと交差する第２方向に各々長く伸びる第１電極と第２電極，上記放電セル内に形成されて上記放電セルを赤色，緑色，青色及び白色の放電セルに区分する蛍光体層とを含む。
【００１８】
上記時，上記隔壁は，上記第２方向に形成される縦隔壁と，上記第２方向と交差する第１方向に形成される横隔壁を含むことができ，上記第１電極は，一対の上記横隔壁に埋設され，上記第１方向に長く形成される第１ライン電極と，上記縦隔壁に埋設され，上記ライン電極を連結する第１連結電極を含み，上記第２電極は，一対の上記縦隔壁に埋設され，上記第２方向に長く形成される第２ライン電極と，上記横隔壁に埋設され，上記ライン電極を連結する第２連結電極を含むことができる。
【発明の効果】
【００１９】
以上説明したように，本発明によれば，画像を表示する可視光線が通過する前面基板には基板外に他の要素が存在しないので，開口率を画期的に向上させることができる。
【００２０】
また，本発明のＰＤＰは放電セルの横方向と縦方向の形状を対称的に構成することによって，放電領域が均一に拡大され，中央への電界集中が可能であるので発光効率を改善することができる。
【００２１】
また，本発明のＰＤＰは放電が放電空間を形成する側面から発生して放電空間の中央部に拡散するので，放電によるプラズマの体積が顕著に大きくなってプラズマ量が大幅増加し，発光効率を改善することができる。
【００２２】
また，本発明のＰＤＰは放電が放電空間を形成する側面から発生して放電空間の中央に拡散し，それによってプラズマも放電空間の中央部へ集中され，側面に形成された放電電極に印加された電圧による電界の影響でプラズマが放電空間の中央部に集まることによって，空間電荷を放電に活用することができる。
【００２３】
また，本発明のＰＤＰは隔壁の高さ方向に維持電極と走査電極が互いに対向して設置されるので，各電極の間隔を減らして放電電圧を従来より大幅に下げることができる。したがって，低い電圧でも駆動が可能になって，発光効率を画期的に向上させることができる。
【００２４】
また，ＰＤＰは発光効率を高めるために高濃度Ｘｅガスを放電ガスとして使用する場合に低電圧駆動が難しくなるが，本発明のＰＤＰでは前述したように低電圧駆動が可能であるので，高濃度Ｘｅガスを放電ガスとして使用し，発光効率を向上させることができる。
【００２５】
また，本発明のＰＤＰは放電応答速度が速く，低電圧駆動が可能になる。本発明のＰＤＰにおける表示電極は可視光線が透過する前面基板に配置されておらず，放電空間の側面に配置されているので，表示電極として抵抗の大きい透明電極を使用する必要がなく，抵抗の低い電極，例えば，金属電極を表示電極として使用することができるので，放電応答速度が速くなり，波形の歪曲なく低電圧駆動が可能になる。
【００２６】
また，本発明のＰＤＰは永久残像を基本的に防止することができる。本発明のＰＤＰでは放電空間の側面に形成された放電電極に印加された電圧による電界がプラズマを放電空間の中央部に集中させて集まるので，長時間の放電があっても放電によって生成されたイオンが電界によって蛍光体に衝突されることを防止し，イオンスパッタリングによる蛍光体損傷に起因して発生する永久残像の問題点を基本的に防止することができる。特に，高濃度Ｘｅガスを放電ガスとして使用する場合，永久残像の問題は非常に深刻になるが，本発明の場合，上記のような永久残像を基本的に防止することができる。
【００２７】
また，本発明のＰＤＰは白色放電セルを含む色相別放電セルは２×２行列形態を有するので，サブピクセルを形成する放電セルを幾何学的対称形状に容易に形成することができ，白色放電セルを含むことによって色再現をデジタル信号に合わせてさらに鮮明に行うことができる。
【００２８】
さらに，本発明のＰＤＰは白色放電セルを含むので，従来のように白色を表現するために赤色，緑色，青色の放電セルを全て選択する必要なく，白色放電セルのみを選択して色表現が可能になる。したがって，放電セル駆動による電力消費を減らすことができる。
【発明を実施するための最良の形態】
【００２９】
以下に，添付した図面を参照しながら，本発明の好適な実施の形態について詳細に説明する。なお，本明細書及び図面において，実質的に同一の機能構成を有する発明特定事項については，同一の符号を付することにより重複説明を省略する。
【００３０】
（第１実施形態）
図２は本発明の第１実施形態によって構成されるプラズマディスプレイパネルを部分分解して示した斜視図である。図２を参照して第１実施形態のプラズマディスプレイパネルについて説明する。
【００３１】
本発明の第１実施形態によるプラズマディスプレイパネル（以下，ＰＤＰ）は互いに対向する前面基板２０と背面基板１０との間に隔壁１６によって区画される放電セル１８;１８Ｒ，１８Ｇ，１８Ｂ，１８Ｗを備え，上記放電セル１８の周囲を囲むように上記隔壁１６に表示電極２５が埋設される構造をなす。
【００３２】
前面基板２０は可視光が透過する透明なガラス基板で形成され，背面基板１０とは対向配置される。上記前面基板２０と背面基板１０との間には第１隔壁１６１が形成される。上記第１隔壁１６１は前面基板２０に形成されて放電セル１８を区画する。放電セル１８は画像が表示される最少単位であるサブピクセルを形成する。
【００３３】
本発明で，上記サブピクセルは赤色（Ｒ），緑色（Ｇ），青色（Ｂ）及び白色（Ｗ）のサブピクセルが一つの対をなして一つの画素を構成する。これについての詳細な説明は後述する。
【００３４】
そして，上記第１隔壁１６１内部には表示電極２５が放電セル１８を囲むように形成される。本実施形態において，上記表示電極２５はアドレス電極１２と作用して放電セルを選択する第１電極（以下，走査電極）２１と，この走査電極２１と作用して選択された放電セルで放電を維持する第２電極（以下，維持電極）２３で構成される。
【００３５】
第１実施形態において，走査電極２１と維持電極２３は放電セルの上部を囲むように配置されることが好ましい。ここで，放電セル１８の上部は第１隔壁１６１の下（図面のｚ軸方向基準）に位置する第２隔壁１６３の上に形成された蛍光体層１９より高い部分を意味する。
【００３６】
第１隔壁１６１は独立した放電空間である放電セル１８を区画すると同時に，誘電体で形成されて走査電極２１と維持電極２３が互いに通電することを防止する。そして，第１隔壁１６１は荷電粒子が表示電極２５に直接衝突して，表示電極２５を損傷させることを防止し，荷電粒子を誘導して壁電荷を蓄積する機能を果たす。
【００３７】
第１隔壁１６１と背面基板１０との間には第２隔壁１６３がさらに形成される。この場合，上記第２隔壁１６３は第１隔壁１６１と背面基板１０との間に配置されて第１隔壁１６１と組合わせて放電セル１８を区画し，放電セル１８との間に誤放電が起こることを防止する。本明細書において，放電セル１８は第１隔壁１６１と第２隔壁１６３の組合わせによって区画されると説明するが，第１隔壁１６１と第２隔壁１６３は一体に形成されても良い。
【００３８】
そして，図２では隔壁１６が互いに離隔してアドレス電極１２の延長方向（図面のｙ軸方向）に延長された縦隔壁１６aと，上記縦隔壁１６aと交差する方向（図面のｘ軸方向）に互いに離隔して延長された横隔壁１６bを備えて放電セル１８が格子模様に形成されることを示したが，上記模様に限定されず，多様な模様に区画することができる。
【００３９】
第１隔壁１６１は保護膜２７によって覆われていることが好ましい。上記保護膜２７は荷電粒子が第１隔壁１６１に衝突して第１隔壁１６１を損傷させることを防止し，放電する時，２次電子を放出する。
【００４０】
一方，上記第１隔壁１６１と共に放電セル１８を限定する第２隔壁１６３をさらに備える場合，蛍光体層１９は第２隔壁１６３と同一な高さｈｐ，ｈｂに形成されることが好ましい（図５参照）。
【００４１】
上記時，第１隔壁１６１は誘電体で形成されて放電が容易に発生するようにして優れたメモリ特性を発揮させ，上記第１隔壁１６１の下に形成された第２隔壁１６３上には蛍光体層１９が形成されて可視光線を広い領域で発生させる。
【００４２】
第２隔壁１６３は背面基板１０の対向面全体にわたって形成される誘電体層１４上に形成される。誘電体層１４は各放電セルに沿って備えられるアドレス電極１２を塗布している。誘電体層１４は放電する時，陽イオンまたは電子がアドレス電極１２に衝突してアドレス電極１２を損傷させることを防止しながら，電荷を誘導することができる誘電体で形成されるが，このような誘電体としてはＰｂｏ，Ｂ２Ｏ３，Ｓｉｏ２などがある。
【００４３】
アドレス電極１２は背面基板１０の対向面上に形成され，図面のｙ軸方向に沿って長く延長形成されて各放電セルを横切る。一例において，このように形成されるアドレス電極１２は後述する表示電極２５と同様に，隔壁１６に埋設されて形成されても良い。
【００４４】
上記の場合，アドレス電極１２は走査電極２１と交差する方向（図面のｙ軸方向）に形成される隔壁，本実施形態では縦隔壁１６aに埋設されて形成される。
【００４５】
そして，放電セル１８の内部は放電時に発生した紫外線によって励起されることによって，可視光線を発散する蛍光体層１９が形成されている。蛍光体層１９は図５及び図６に示しているように第２隔壁１６３の壁面と，第２隔壁１６３によって限定された底面にわたって形成される。
【００４６】
蛍光体層１９は色表現のために赤色，緑色，青色及び白色蛍光体の中でいずれか一つの蛍光体を選択して形成されるが，そのために赤，緑，青，白色蛍光体層１８Ｒ，１８Ｇ，１８Ｂ，１８Ｗに区分される。上記のように蛍光体層１９が配置された放電セル１８内部にはネオン（Ｎｅ），キセノン（Ｘｅ）などが混合された放電ガスが充填される。
【００４７】
以下，図３を参照して本実施形態の放電セル構造について詳細に説明する。図３は画素を構成するサブピクセル，つまり，放電セルの配置形状を示す図面である。本実施形態において，各色相別放電セル１８;１８Ｒ，１８Ｇ，１８Ｂ，１８Ｗは赤色光を出す赤色放電セル１８Ｒ，青色光を出す青色放電セル１８Ｂ，緑色光を出す緑色放電セル１８Ｇ，そして，白色光を出す白色放電セル１８Ｗからなる。各々の色相別放電セル内部には発光した時，各々に相当する光を出す蛍光体が塗布されている。
【００４８】
上記のように，本実施形態で画素は赤色，青色，緑色及び白色の４色サブピクセルが集まって構成される。上記時，各々の色相別サブピクセルは２×２行列形態に配列される。上記のように本実施形態のＰＤＰは白色放電セル１８Ｗが画素を構成するので，画像の白色純度を改善することができ，色相をより正確に表現することができる。
【００４９】
また，本実施形態の放電セルは２×２行列形態に配列されて一つの画素を構成するので，４つのサブピクセル（ＳＰ）を横（Ｗ，Ｗｃ）及び縦（Ｌ，Ｌｃ）の長さの同一な正方形に近い形状に配置することができる。本実施形態における表示電極２５は放電セル１８の周囲を囲む形状に形成されるために，放電セルの中心に対して点対称をなさなければ，放電を放電セル全体に対して利用することができない。
【００５０】
例えば，本実施形態のように放電セルの壁面で対向する表示電極２５を備える場合に，平面形状が四角形である放電セルで縦が横より大きければ，縦で表示電極によって生成される電界は横に比べて大きくなるので，プラズマが縦方向でのみ生成される。したがって，放電セル全体を使用することができず，一部のみを使用して発光する問題が発生する。しかし，本実施形態のように放電セルが２×２行列形態になれば，横及び縦の長さが同一な正四角形に放電セルを形成することができるので，放電セル全体を利用して放電を行うことができる。
【００５１】
以下では図４〜図６を参照して上述したように形成される放電セルに沿って備えられる第１実施形態の表示電極について詳細に説明する。図４は第１実施形態による表示電極の形状を示す斜視図であり，図５及び図６は図２のＶ-Ｖ線とＶＩ−ＶＩ線に沿って切開した断面を示す説明図である。
【００５２】
第１実施形態において，表示電極２５は前面基板２０から背面基板１０に向かって維持電極２３と走査電極２１が順次に第１隔壁１６１に埋設されて形成される。上記のように第１実施形態における走査電極２１はアドレス電極に隣接して形成されるために，点灯される放電セルを選択するアドレス期間の放電電圧を従来より下げることができるので，低電圧駆動が可能になる。
【００５３】
維持電極２３は前面基板２０上の第１隔壁１６１に埋設されて形成され，走査電極２１は維持電極２３と絶縁された状態で維持電極２３の下に形成される。ここで，維持電極２３と走査電極２１は同一構造で形成されるので，維持電極２３についての説明で走査電極２１の説明を代替する。
【００５４】
第１実施形態において，維持電極２３は横隔壁１６bの延長方向（図面のｘ軸方向）に長く伸びる一対のライン電極２３１，２３１’と，上記一対のライン電極２３１，２３１’を連結する連結電極２３３を含む。上記の結果，第１実施形態の維持電極２３は台形を有する。上記のような形状の維持電極２３は隔壁１６の中で前面基板２０の直下に位置する隔壁内部に位置する。この時，ライン電極２３１，２３１’は横隔壁１６ｂに埋設され，横隔壁１６ｂの延長方向に長く位置する（図５参照）。そして，連結電極２３３は縦隔壁１６ａの内部に位置し，実質的に維持電極２３が放電セルの周囲を囲むようにする（図６参照）。
【００５５】
同様に，走査電極２１は維持電極２３の直下に同一形態に位置する。そのために，維持電極２３と走査電極２１は放電セルの周囲に沿って同一壁面で互いに対向する形態を有する。
【００５６】
上記のように，本実施形態の表示電極２５は可視光線が透過する前面基板２０に配置されておらず，放電空間の側面に配置されているので，表示電極２５として抵抗の大きい透明電極を使用する必要がなく，抵抗が低い電極（例えば，金属電極）を使用することができる。そのために第１実施形態のＰＤＰは放電応答速度が速くなり，波形の歪曲なく低電圧駆動が可能になる。
【００５７】
以下，図５及び図６を参照してメモリ特性を利用する一般的な駆動方法による維持放電期間で第１実施形態のＰＤＰが放電する現象を説明する。
【００５８】
アドレス電極１２と走査電極２１との間に駆動電圧が印加されれば，放電される放電セル１８が選択され，選択された放電セル１８の走査電極２１上に壁電荷が蓄積される。引き続き，維持電極２３に（+）電圧が印加され，走査電極２１にこれより相対的に低い電圧が印加されれば，走査電極２１と維持電極２３との間に印加された電圧差によって壁電荷が互いに反対方向に移動する。この壁電荷の移動によって放電セル１８内の放電ガスと衝突しながら放電を起こしてプラズマが生成される。このような放電は相対的に強い電界が形成される維持電極２３と走査電極２１の互いに近い部分から発生する可能性が高くなる。
【００５９】
本実施形態の場合，維持電極２３と走査電極２１が放電セル１８の周囲に沿って互いに対向しているので，表示電極２５が放電セルの上面にのみ限定されていた従来技術に比べて，放電が発生する可能性が大幅に増加する。
【００６０】
時間が経過することによって二つの電極２１，２３の間の電圧差を依然として十分に大きく維持させれば，二つの電極２１，２３の面の間に形成された電界が順次に強く集中されることによって，放電が放電セル１８全体に拡散する。
【００６１】
第１実施形態における放電は放電セル１８の４面で環形状に発生して中央に拡散する反面，従来技術における放電は放電セルの上面で発生して中央部に拡散するので，本実施形態の放電は従来技術の放電に比べてその拡散範囲が大幅増加する。
【００６２】
また，本実施形態で放電によって発生するプラズマは放電セル１８の壁面に沿って環形状に形成されてその後中央に拡散するので，プラズマの体積が大幅増大し可視光線の量が大幅増大され，プラズマが放電セル１８の中央部に集中することによって空間電荷を活用することができ低電圧駆動が可能になる。よって，放電による発光効率が向上する効果を得ることができる。
【００６３】
また，第１実施形態において，プラズマは放電セル１８の中央に集中され，表示電極２５による電界がプラズマの両側面に形成されるので，電荷が放電セル１８の中央で集中して，上記電荷が蛍光体へのイオンスパッタリングを基本的に防止することができる。
【００６４】
（第２実施形態）
以下，本発明の第２実施形態によるＰＤＰを説明する。図７は本発明の第２実施形態によるＰＤＰの概略的な形状を部分分解して示した斜視図である。第２実施形態のＰＤＰは互いに対向する前面基板２０と背面基板１０との間に隔壁１６によって区画される放電セル１８;１８R，１８G，１８B，１８Wを備え，上記放電セル１８の周囲を囲みながら表示電極４５が形成される構造をなす。
【００６５】
表示電極４５は放電セル１８を選択して放電を維持する維持電極４１と，維持電極４１と作用して放電セル１８を選択する走査電極４３を含む。維持電極４１と走査電極４３は第１隔壁１６１に埋設されて形成されるが，前面基板２０から背面基板１０に向かう方向に維持電極４１と走査電極４３が順次に（または，反対順に）形成される。一方，第２実施形態では第１実施形態と異なって背面基板１０としてアドレス電極１２を含まない。
【００６６】
上記の結果，アドレス電極１２を保護していた誘電体層を選択的に形成しないこともあり，そのために放電セル１８に塗布される蛍光体の塗布量をさらに増大させることができる。一方，放電セル１８としては赤色（Ｒ，緑色（Ｇ），青色（Ｂ），白色（Ｗ）の４色の蛍光体が塗布されてサブピクセルが構成され，上記サブピクセルは２×２行列形態に配列されて一つの画素を構成する。
【００６７】
一方，第２実施形態のＰＤＰはアドレス電極が存在しないために維持電極４１と走査電極４３は互いに交差して形成される。例えば，維持電極４１が図面のｘ軸方向に長く形成されれば，走査電極４３はこれと交差する図面のｙ軸方向に沿って長く形成される。
【００６８】
図８で第２実施形態の表示電極４５を例示したように，維持電極４１は一対のライン電極４１１，４１１’と，このライン電極を連結する連結電極４１３を含む。ライン電極４１１，４１１’は細長いライン形状に形成され，図面のｘ軸方向に長く形成される。この時，ライン電極４１１，４１１’は互いに対向する。そして，連結電極４１３はライン電極と交差する方向に伸びて一対のライン電極４１１，４１１’を連結する。このような形状の維持電極４１のうちのライン電極４１１，４１１’は横隔壁１６bに埋設され，連結電極４１３は縦隔壁１６aに埋設されて放電セルを環形状に囲む。
【００６９】
一方，第２実施形態において，走査電極４３は維持電極４１と交差して形成される。したがって，図８で例示されたように，一対のライン電極４３１，４３１’と，これを連結する連結電極４３３で構成される走査電極４３は，ライン電極４３１，４３１’が図面のｙ軸方向に長く形成される。そして，連結電極４３３はライン電極と交差する方向（図面のｘ軸方向）で一対のライン電極４１１，４１１’を連結する。その結果，走査電極４３と維持電極４１は実質的に交差して形成される。上記のように，維持電極４１と交差して形成される走査電極４３のうちのライン電極４３１，４３１’は縦隔壁１６aに埋設され，連結電極４３３は横隔壁１６bに埋設されて放電セルを環形状に囲む。したがって，第２実施形態の表示電極４５を構成する走査電極４３と維持電極４１は隔壁の高さ方向である上下に互いに対向する形態を有する。
【００７０】
以下，図９及び図１０を参照して第２実施形態のＰＤＰがメモリ特性を利用する一般的な駆動方法によって維持放電期間で起こる放電現象を説明する。
【００７１】
維持電極４１と走査電極４３との間に駆動電圧が印加されれば，放電される放電セル１８が選択され，選択された放電セル１８の維持電極４１上に壁電荷が蓄積される。引き続き，維持電極４１に（+）電圧が印加され，走査電極４３にこれより相対的に低い電圧が印加されれば，維持電極４１と走査電極４３との間に印加された電圧差によって壁電荷が互いに反対方向に移動する。上記壁電荷の移動によって放電セル１８内の放電ガスと衝突しながら放電を起こしてプラズマを生成させる。上記のような放電は相対的に強い電界が形成される維持電極４１と走査電極４３の互いに近い部分から発生する可能性が高くなる。
【００７２】
本実施形態の場合，維持電極４１と走査電極４３が放電セル１８の周囲に沿って互いに対向しているので，表示電極が放電セルの上面にのみ限定されていた従来技術に比べて，放電が発生する可能性が大幅増加する。
【００７３】
時間の経過に伴って二つの電極４１，４３の間の電圧差を依然として十分に大きく維持すれば，二つの電極４１，４３の面の間に形成された電界が順次に強く集中することによって，放電が放電セル１８全体に拡散する。
【００７４】
以上，添付図面を参照しながら本発明の好適な実施形態について説明したが，本発明はかかる例に限定されない。当業者であれば，特許請求の範囲に記載された技術的思想の範疇内において，各種の変更例または修正例に想到し得ることは明らかであり，それらについても当然に本発明の技術的範囲に属するものと了解される。
【産業上の利用可能性】
【００７５】
本発明は，ガス放電を利用して画像を表示するプラズマディスプレイパネルに適用可能である。
【図面の簡単な説明】
【００７６】
【図１】従来の放電型プラズマディスプレイパネルの構成を示す斜視図である。
【図２】本発明の第１実施形態によって構成されるプラズマディスプレイパネルの形状を部分分解して示した斜視図である。
【図３】一つの画素内に形成されるサブピクセルの配置関係を示す説明図である。
【図４】第１実施形態による表示電極の形状を示す斜視図である。
【図５】図１のＶ-Ｖ線に沿って切開した断面を示す説明図である。
【図６】図１のＶＩ−ＶＩ線に沿って切開した断面を示す説明図である。
【図７】本発明の第２実施形態によって構成されるプラズマディスプレイパネルの形状を部分分解して示した斜視図である。
【図８】第２実施形態で表示電極の形状を示す斜視図である。
【図９】図８のＩＸ−ＩＸ線に沿って切開した断面を示す説明図である。
【図１０】図８のＸ−Ｘ線に沿って切開した断面を示す説明図である。
【符号の説明】
【００７７】
１０  背面基板
１２  アドレス電極
１４  誘電体層
１６  隔壁
１６a  縦隔壁
１６b  横隔壁
１８  放電セル
１９  蛍光体層
２０  前面基板
２１，４３  走査電極
２３，４１  維持電極
２５，４５  表示電極
２７  保護膜
１６１  第１隔壁
１６３  第２隔壁
２１１，２３１，２３１’，４１１，４１１’，４３１，４３１’  ライン電極
２１３，２３３，４１３，４３３  連結電極
SP  サブピクセル
【図１】
2006228702.tif 000003
【図２】
2006228702.tif 000004
【図３】
2006228702.tif 000005
【図４】
2006228702.tif 000006
【図５】
2006228702.tif 000007
【図６】
2006228702.tif 000008
【図７】
2006228702.tif 000009
【図８】
2006228702.tif 000010
【図９】
2006228702.tif 000011
【図１０】
2006228702.tif 000012